(57)【要約】【課題】リア型表示装置及びリア型表示装置に用いる接続構造を提供する【解決手段】  リア型表示装置に用いる接続構造は、リア型表示装置のスクリーンユニットとライトエンジンユニットとを接続するものであり、第一の位置決め構造と第二の位置決め構造を含む。第一の位置決め構造はスクリーンユニットの下方に設けられ、第二の位置決め構造は第一の位置決め構造に対応し、ライトエンジンユニットの上方に設けられる。第一の位置決め構造を第二の位置決め構造に接続することにより、スクリーンユニットをライトエンジンユニットの上方に直接接続させる。【選択図】  図２
2006079087.tif 000002
【特許請求の範囲】
【請求項１】
リア型表示装置に用い、当該リア型表示装置のスクリーンユニットとライトエンジンユニットとを接続するための接続構造であって、
前記スクリーンユニットの下方に設けられる第一の位置決め構造と、
前記第一の位置決め構造に対応し、前記ライトエンジンユニットの上方に設けられる第二の位置決め構造と、
を有し、
前記第一の位置決め構造は前記第二の位置決め構造に接続され、前記スクリーンユニットは前記ライトエンジンユニットの上方に直接接続される、
接続構造。
【請求項２】
前記スクリーンユニットの下方に、前記ライトエンジンユニットに隣接する場所に断熱板が設けられ、当該断熱板の中に前記ライトエンジンユニットからの光束が通過する穴が開けられ、前記第一の位置決め構造が当該断熱板の下部表面に設置される、
請求項１に記載の接続構造。
【請求項３】
前記ライトエンジンユニットの上方に、前記スクリーンユニットに隣接する場所にサポート台が設けられ、前記第二の位置決め構造が当該サポート台の上部表面に設置される、
請求項２に記載の接続構造。
【請求項４】
前記第一の位置決め構造は複数の楔状部材からなり、前記第二の位置決め構造は複数の凹溝からなる、
請求項３に記載の接続構造。
【請求項５】
前記凹溝の溝壁に横方向に延伸する第二のねじ穴が設けられ、当該第二のねじ穴は当該溝壁の内側と外側の二つの位置に開口され、前記楔状部材は当該第二のねじ穴に対応して横方向に延伸する第一のねじ穴を有し、ねじが当該第二のねじ穴と当該第一のねじ穴にスクルーされる際に、前記スクリーンユニットが前記ライトエンジンユニット上に固定される、
請求項４に記載の接続構造。
【請求項６】
前記複数の楔状部材は、前記複数の凹溝に対応し、投影方向にマトリックス状に配置される、
請求項４に記載の接続構造。
【請求項７】
前記ライトエンジンユニットは、ライトエンジンハウジングと当該ライトエンジンハウジング内に設けられるライトエンジンとを含み、
前記スクリーンユニットは、スクリーンハウジングと、当該スクリーンハウジングの正面に設けられるスクリーンと、当該スクリーンハウジング内に設けられる反射ミラーとを含み、
前記反射ミラーは、前記ライトエンジンからの光束を前記スクリーンに反射し、前記スクリーンに当該光束に対応する映像を表示する、
請求項１に記載の接続構造。
【請求項８】
下方に第一の位置決め構造が設けられるスクリーンユニットと、
前記第一の位置決め構造に対応し、上方に第二の位置決め構造が設けられるライトエンジンユニットと、
を有し、
前記第一の位置決め構造は前記第二の位置決め構造に接続され、前記スクリーンユニットは前記ライトエンジンユニットの上方に直接接続される、
リア型表示装置。
【請求項９】
前記スクリーンユニットの下方に、前記ライトエンジンユニットに隣接する場所に断熱板が設けられ、当該断熱板の中に前記ライトエンジンユニットからの光束が通過する穴が開けられ、前記第一の位置決め構造が当該断熱板の下部表面に設置される、
請求項８に記載のリア型表示装置。
【請求項１０】
前記ライトエンジンユニットの上方に、前記スクリーンユニットに隣接する場所にサポート台が設けられ、前記第二の位置決め構造が当該サポート台の上部表面に設置される、
請求項９に記載のリア型表示装置。
【請求項１１】
前記第一の位置決め構造は複数の楔状部材からなり、前記第二の位置決め構造は複数の凹溝からなる、
請求項１０に記載のリア型表示装置。
【請求項１２】
前記凹溝の溝壁に横方向に延伸する第二のねじ穴が設けられ、当該第二のねじ穴は当該溝壁の内側と外側の二つの位置に開口し、前記楔状部材は当該第二のねじ穴に対応して横方向に延伸する第一のねじ穴を有し、ねじが当該第二のねじ穴と当該第一のねじ穴にスクルーされる際に、前記スクリーンユニットは前記ライトエンジンユニット上に固定される、
請求項１１に記載のリア型表示装置。
【請求項１３】
前記複数の楔状部材は、前記複数の凹溝に対応し、投影方向にマトリックス状に配置される、
請求項１１に記載のリア型表示装置。
【請求項１４】
前記ライトエンジンユニットは、ライトエンジンハウジングと、当該ライトエンジンハウジング内に設けられるライトとを含み、
前記スクリーンユニットは、スクリーンハウジングと、当該スクリーンハウジングの正面に設けられるスクリーンと、当該スクリーンハウジング内に設けられる反射ミラーとを含み、
前記反射ミラーは、前記ライトエンジンからの光束を前記スクリーンに反射し、前記スクリーンに当該光束に対応する映像を表示する、
請求項８に記載のリア型表示装置。
【発明の詳細な説明】
【技術分野】
【０００１】
本発明は、リア型表示装置に関し、特に、モジュール化のリア型表示装置及びリア型表示装置に用いる接続構造に関する。
【背景技術】
【０００２】
主に使われている数種類の平面ディスプレイの内、リア型表示装置は、低電力、大画面及び安価等のメリットがあるので注目されている。
【０００３】
図１は、従来のリア型表示装置の接続構造を示す図である。図１に示すように、従来のリア型表示装置２は、内部のライトエンジン６と接続構造４を有する。接続構造４は、フロントフレーム４０２、ハウジング４０４及び台座４０６を含む。
【０００４】
フロントフレーム４０２、ハウジング４０４及び台座４０６は、それぞれスクリーン８と接触しているので、スクリーン８のサイズに依存する。このような接続方式は、一つの欠点がある。即ち、５２インチ、５６インチ及び６０インチなどの異なるサイズのスクリーン８を持つリア型表示装置２を製造するときに、それぞれ異なるサイズのフロントフレーム４０２、ハウジング４０４及び台座４０６を用意しなければならないので、生産コストが高くなる。
【０００５】
また、ライトエンジン６が直接に接続構造４の内部に設置されているので、ライトエンジン６による高熱を高温に弱いスクリーン８などの部分に伝導することを避けるために、ハウジング４０４の内部に断熱板１０が設けられており、装置の組み立てが複雑である。
【０００６】
また、リア型表示装置において、電子機器を設ける領域は、当業界の技術基準により防火機能が要求される。しかし、従来のリア型装置２は、ライトエンジン６と電源供給コネクタなどの電子機器がハウジング４０４と台座４０６との間に設けられているので、防火機能を達成するために、ハウジング４０４と台座４０６の材料にコストの高い防火材料を使用する必要であり、製造コストが高い。
【０００７】
ゆえに、本発明の主な目的は、リア型表示装置に用いる接続構造を提供し、モジュール化により前述の技術問題を解決する。
【発明の開示】
【発明が解決しようとする課題】
【０００８】
本発明の目的は、リア型表示装置に用いる接続構造により、スクリーンユニットとライトエンジンユニットとは接続することができ、単一規格のライトエンジンユニットが複数規格のスクリーンユニットと接続することにより、生産コストを削減することにある。
【０００９】
本発明の他の目的は、ライトエンジンユニットにより電子機器を設ける空間とスクリーンとを分離し、防火構造の製造コストを削減することにある。
【課題を解決するための手段】
【００１０】
上記目的を達成するために、本発明は、リア型表示装置及びリア型表示装置に用いる接続構造を提供し、当該接続構造により当該リア型表示装置のモジュール化されるスクリーンユニットとライトエンジンユニットとを接続する。当該ライトエンジンユニットは、ライトエンジンハウジングとこのライトエンジンハウジングに設置するライトエンジンと含む。当該スクリーンユニットは、スクリーンハウジング、スクリーン及び反射ミラーを含む。当該接続構造は、第一の位置決め構造と第二の位置決め構造を含む。
【００１１】
前記スクリーンユニットの下方において、前記ライトエンジンユニットと接近する位置に断熱板を設置し、当該断熱板の下にある前記ライトエンジンユニットからの光束が当該断熱板を通過できるために当該断熱板の中に穴を開ける。また、前記ライトエンジンユニットの上方において前記スクリーンユニットと接近する部分は、サポート台である。
【００１２】
前記第一の位置決め構造は、前記スクリーンユニットの下方に設けられる。前記第一の位置決め構造は、前記断熱板の下部表面に設置される複数の楔状部材である。
【００１３】
前記第二の位置決め構造は、前記第一の位置決め構造に対応し、前記ライトエンジンユニットの上方に設けられる。前記第二の位置決め構造は、前記サポート台の上部表面に設置される複数の凹溝である。
【００１４】
前記第一の位置決め構造は、前記第二の位置決め構造と連接し、前記スクリーンユニットを前記ライトエンジンユニットの上方に直接設置させる。即ち、前記複数の楔状部材は、前記複数の凹溝に対応し、投影方向においてマトリックス状に配置されるので、前記スクリーンユニットを前記ライトエンジンユニットにしっかり設置させることができる。
【００１５】
また、前記凹溝においてリア型表示装置の後方に接近する位置に溝壁が設けられる。当該溝壁には横方向に延伸する第二のねじ穴を設置し、当該第二のねじ穴は当該溝壁の内側と外側の二つの位置に設置される。前記楔状部材には横方向に延伸する第一のねじ穴を設置し、当該第一のねじ穴は当該第二のねじ穴に対応する。ねじで当該第一のねじ穴と当該第二のねじ穴とを接続することにより、前記凹溝を前記楔状部材にしっかり接続させる。
【００１６】
ゆえに、本発明は、リア型表示装置に用いる接続構造により、スクリーンユニットとライトエンジンユニットとを、前記第一の位置決め構造と前記第二位置決め構造を介して接続する。これにより、単一規格のライトエンジンユニットが複数規格のスクリーンユニットと接続し、ライトエンジンユニットの開発費用を節約し、ライトエンジンユニットの在庫を減少することができる。
【発明の効果】
【００１７】
リア型表示装置に用いる接続構造により、スクリーンユニットとライトエンジンユニットとを接続し、単一規格のライトエンジンユニットが複数規格のスクリーンユニットと接続することにより、生産コストを削減する。
【００１８】
また、ライトエンジンユニットにより電子機器を設ける空間とスクリーンとを分離し、防火構造の製造コストを削減する。
【発明を実施するための最良の形態】
【００１９】
次に、添付した図面を参照しながら、本発明の好適な実施形態を詳細に説明する。
【００２０】
図２は、本発明の接続構造３０の分解図である。図３は、本発明の接続構造３０の組み立て図である。図２と図３に示すように、本発明は、モジュール化のリア型表示装置３２及びリア型表示装置３２に用いる接続構造３０に関し、接続構造３０によりリア型表示装置にあるモジュール化のスクリーンユニット３４とライトエンジンユニット３６とを接続する。ライトエンジンユニット３６は、ライトエンジンハウジング３６０６とライトエンジンハウジング３６０６に設置するライトエンジン３６０２を含み、スクリーンユニット３４は、スクリーンハウジング３４０２、スクリーン３４０４及び反射鏡３４０６を含む。
【００２１】
スクリーン３４０４は、スクリーンハウジング３４０２の正面に設置される。反射鏡３４０６は、スクリーンハウジング３４０２の内部に設置され、ライトエンジン３６０２からの光束を反射してスクリーン３４０２に投射し、映像をスクリーン３４０２に表示する。
【００２２】
接続構造３０は、第一の位置決め構造３００２と第二の位置決め構造３００４を有する。第一の位置決め構造３００２は、スクリーンユニット３４の下方に設置される。第二の位置決め構造３００４は、第一の位置決め構造３００２に対応し、ライトエンジンユニット３６の上方に設置される。第一の位置決め構造３００２は複数の楔状部材であり、第二の位置決め構造３００４は複数の凹溝である。
【００２３】
第一の位置決め構造３００２を第二の位置決め構造３００４に接続することにより、モジュール化のスクリーンユニット３４をモジュール化のライトエンジンユニット３６に直接設置する。上から観察すれば、前記複数の楔状部材は前記複数の凹溝に対応し、投影方向においてマトリックス状に配置されるので、第一の位置決め構造３００２と第二の位置決め構造３００４とは、しっかり接続することができる。
【００２４】
接続構造３０によりリア型表示装置がモジュール化されるので、スクリーンユニット３４とライトエンジンユニット３６は、別々に製造されることができる。リア型表示装置には、コストの高い部品がライトエンジン３６０２であるので、モジュール化される利点は、一つの種類のライトエンジンユニット３６が異なるサイズを持つ複数の種類のスクリーンユニット３４と接続することができ、言い換えれば、本発明の接続構造３０を用いると、簡単に接続させることができ、ライトエンジンユニット３６を開発するための費用を大幅に節約することができる。
【００２５】
前述のようなモジュール化のスクリーンユニット３４には、ライトエンジンユニット３６と隣接する下方に断熱板３４０８が設けられる。断熱板３４０８に穴を開けることにより、下にあるライトエンジンユニット３６からの光束が上へ通過することができる。また、第一の位置決め構造３００２は、断熱板３４０８の下部表面に設置される。これにより、断熱板３４０８は、ライトエンジン３６０２からの高熱が高温に弱いスクリーン３４０４等の構造に伝導することを避ける。
【００２６】
また、スクリーンユニット３４と接近するライトエンジンユニット３６の上方にはサポート台３６０４が設けられ、第二の位置決め構造３００４はサポート台３６０４に設置される。
【００２７】
また、図３の拡大図に示すように、前記凹溝はリア型表示装置３２の後方と接近する位置に溝壁４２を有する。溝壁４２には横方向に延伸する第二のねじ穴４０ｃが設けられ、第二のねじ穴４０ｃは溝壁４２の内側と外側の二つの位置に開口する。第二のねじ穴４０ｃと対応する前記楔状部材は、横方向に延伸する第一のねじ穴４０ｂを有する。よって、ねじ４０aを第二のねじ穴４０ｃと第一のねじ穴４０ｂにスクルーし、前記楔状部材を前記凹溝にしっかり接続させることにより、スクリーンユニット３４をライトエンジンユニット３６にしっかり接続することができる。
【００２８】
厳しく言えば、モジュール化のスクリーンユニット３４とライトエンジンユニット３６とを接続するには、前記楔状部材を前記凹溝に接続する他に、スクリーンユニット３４とライトエンジンユニット３６がそれぞれ第一の位置決め構造３００２と第二の位置決め構造３００４に対応する周縁部のサイズと形状が互いに合わせることも必要である。しかし、具体的なサイズと形状が限られないので、ここではその説明を省略する。
従って、スクリーンユニット３４は、５２インチ、５６インチ及び６０インチ等の異なるサイズを有しても、同じ規格のライトエンジンユニット３６と接続することができる。
【００２９】
故に、本発明は、リア型表示装置に用いる接続構造３０を使用し、第一の位置決め構造３００２と第二の位置決め構造３００４とを接続させることにより、モジュール化のスクリーンユニット３４とライトエンジンユニット３６とを接続する。これにより、単一規格のライトエンジンユニット３６が複数規格のスクリーンユニット３４と接続することができ、ライトエンジンユニット３６に対して開発費用を節約し、在庫を減少することができる。また、ライトエンジン等の電子機器がライトエンジンユニット３６の中に設けられ、ライトエンジンユニット３６とスクリーンユニット３４との間に断熱板３４０８により空間が分離されるので、ライトエンジンユニット３６のみが防火材料で製造されれば、防火基準に満たすことができる。これにより、防火機能を付けるための生産コストを抑えることができる。
【００３０】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００３１】
【図１】従来のリア型表示装置の接続構造を示す図である。
【図２】本発明の接続構造の分解図である
【図３】本発明の接続構造の組み立て図である。
【符号の説明】
【００３２】
４、３０  接続構造
４０２  フロントフレーム
４０４  ハウジング
４０６  台座
２、３２  リア型表示装置
３４  スクリーンユニット
３６  ライトエンジンユニット
３００２  第一の位置決め構造
３００４  第二の位置決め構造
６、３６０２  ライトエンジン
３４０２  スクリーンハウジング
８、３４０４  スクリーン
３４０６  反射ミラー
１０、３４０８  断熱板
３８  穴
３６０４  サポート台
４０ｃ  第二のねじ穴
４２  溝壁
４０ｂ  第一のねじ穴
４０ａ  ねじ
３６０６  ライトエンジンハウジング
【図１】
2006079087.tif 000003
【図２】
2006079087.tif 000004
【図３】
2006079087.tif 000005